(57)【要約】【課題】所望の色度とは異なる色度の白ＬＥＤを使用して、所望の色度の光を得る技術を提供する。【解決手段】異なる色温度を有して発光するＬＥＤ群Ａ（１０ｃ）とＬＥＤ群Ｂ（１０ｄ）とを有しており、ＬＥＤ駆動ユニット１２２は、ＬＥＤ群Ａ（１０ｃ）に供給される電流の大きさと、ＬＥＤ群Ｂ（１０ｄ）に供給される電流の大きさと、の比率を調整して所定の色度の光がバックライト装置から得られるように調整する。【選択図】図９
2008262823.tif 000002
【特許請求の範囲】
【請求項１】
複数の発光素子と、前記発光素子に電力を供給する駆動回路と、前記発光素子からの光を導き略均一光量の光を面から出射させる導光板とを備えるバックライト装置であって、
前記複数の発光素子は、
略同一色度の白ＬＥＤを直列接続して形成される第１のＬＥＤ群と、
前記第１のＬＥＤ群を形成する白ＬＥＤとは異なる色度を有する略同一色度の白ＬＥＤを直列接続して形成される第２のＬＥＤ群と、が近接して配置されてなり、
前記駆動回路は、
前記第１のＬＥＤ群に流す電流と前記第２のＬＥＤ群に流す電流との大きさの比率を変化させて、前記導光板を介して出力される白色光の色度座標を変えるバックライト装置。
【請求項２】
複数の発光素子と、前記発光素子に電力を供給する駆動回路と、前記発光素子からの光を導き略均一光量の光を面から出射させる導光板とを備えるバックライト装置であって、
前記複数の発光素子は、
略同一色度の白ＬＥＤを直列接続して形成される第１のＬＥＤ群と、
前記第１のＬＥＤ群を形成する白ＬＥＤとは異なる色度を有する略同一色度の白ＬＥＤを直列接続して形成される第２のＬＥＤ群と、
前記第１のＬＥＤ群を形成する白ＬＥＤおよび前記第２のＬＥＤ群を形成する白ＬＥＤとは相互に異なる色度を有する略同一色度の白ＬＥＤを直列接続して形成される第３のＬＥＤ群と、が近接して配置されてなり、
前記駆動回路は、
前記第１のＬＥＤ群に流す電流と前記第２のＬＥＤ群に流す電流と前記第３のＬＥＤ群に流す電流との大きさの相互の比率を変化させて、前記導光板を介して出力される白色光の色度座標を変えるバックライト装置。
【請求項３】
前記複数の発光素子の各々から前記導光板を介して出力される白色光の色度座標は、各々が略黒体曲線上にあり、
前記複数の発光素子の各々に流れる電流の相互の比率を変えることによって色温度を変えることを特徴とする請求項１または請求項２に記載のバックライト装置。
【請求項４】
前記導光板の導光板光入射面に対して略平行する同一面上に配置される、前記第１のＬＥＤ群に属する白ＬＥＤと、前記第２のＬＥＤ群に属する白ＬＥＤとが、前記導光板光入射面の幅方向に、交互に、１列に配置されることを特徴とする請求項１に記載のバックライト装置。
【請求項５】
前記導光板の導光板光入射面に対して略平行する同一面上に配置される、前記第１のＬＥＤ群に属する白ＬＥＤと、前記第２のＬＥＤ群に属する白ＬＥＤとが、前記導光板光入射面の幅方向に、前記第１のＬＥＤ群および前記第２のＬＥＤ群の各々の群毎に１列に配置されることを特徴とする請求項１に記載のバックライト装置。
【請求項６】
前記導光板の導光板光入射面に対して略平行する同一面上に配置される、前記第１のＬＥＤ群に属する白ＬＥＤと、前記第２のＬＥＤ群に属する白ＬＥＤと、前記第３のＬＥＤ群に属する白ＬＥＤとが、前記導光板光入射面の幅方向に、交互に、１列に配置されることを特徴とする請求項２に記載のバックライト装置。
【請求項７】
前記導光板の導光板光入射面に対して略平行して配置される、前記第１のＬＥＤ群に属する白ＬＥＤと、
前記第１の白ＬＥＤ群に属する白ＬＥＤが配置される面とは異なる面に、前記導光板光入射面に対して略平行して配置される、前記第２のＬＥＤ群に属する白ＬＥＤとが、前記導光板光入射面の幅方向に、各々、１列に配置されることを特徴とする請求項１に記載のバックライト装置。
【請求項８】
液晶パネルと前記液晶パネルの裏面から光を照射するバックライト装置とを備える表示装置であって、
前記バックライト装置は、
複数の発光素子と、
前記発光素子に電力を供給する駆動回路と、
前記発光素子からの光を導き略均一光量の光を面から出射させる導光板と、を具備し、
前記複数の発光素子は、
略同一色度の白ＬＥＤを直列接続して形成される複数のＬＥＤ群を有し、
前記複数のＬＥＤ群の各々に属する各々の白ＬＥＤは、他のＬＥＤ群に属する白ＬＥＤとは、相互に異なる色度座標を有するようにされ、
前記ＬＥＤ群は、相互に近接して配置され、
前記駆動回路は、
前記複数のＬＥＤ群の各々に流す電流の大きさの相互の比率を変化させて、前記液晶パネルの画像視認面における白色光の色度座標を変える表示装置。
【請求項９】
複数のＬＥＤ群の有する各々の色度座標の座標位置を結ぶ直線、または、複数のＬＥＤ群の有する各々の色度座標の座標位置によって囲まれる領域の範囲内に、黒体曲線の５０００Ｋないし１１０００Ｋの少なくとも一部を含むことを特徴とする請求項８に記載の表示装置。
【請求項１０】
複数の発光素子からの光を導いて、導光板を介して略均一光量の光を出射するバックライト装置の色度調整方法であって、
略同一色度の白ＬＥＤを直列接続して形成される複数のＬＥＤ群を相互に近接して配置し、
前記複数のＬＥＤ群の各々に属する各々の白ＬＥＤと、他のＬＥＤ群に属する白ＬＥＤとは、相互に異なる色度座標を有するようにされ、
前記複数のＬＥＤ群の各々に流す電流の大きさの相互の比率を変化させて、導光板を介して出力される白色光の色座標を変えるバックライト装置の色度調整方法。
【発明の詳細な説明】
【技術分野】
【０００１】
本発明は、バックライト装置およびこれを用いた表示装置ならびにバックライト装置の色度調整方法に関する。
【背景技術】
【０００２】
近年。バックライト装置を用いた表示装置液晶表示装置が広範囲に普及している。このような表示装置の代表例としての液晶表示装置は、その液晶パネルに入射される光の透過率を画素毎に制御することで画像を表示するものである。そして、一般的な液晶表示装置では、この液晶パネルの画像視認面の反対面から光を入射させるバックライト装置が、液晶パネルの裏面側に組み込まれる。
【０００３】
このようなバックライト装置の光源としては、表示装置の種類によって、種々の選択が可能であり、従来は、液晶パネルを用いるノート型のパーソナルコンピュータ等では冷陰極管（ランプ）が多く用いられてきた。また、ノートパソコンなどでは液晶パネルの面積が比較的大きいので、十分な光量を得るために冷陰極管を複数個搭載し、この複数の光源からの光の色度の組み合わせを調整する技術も知られている（例えば、特許文献１を参照）。
【０００４】
また、近年では、装置の小型化がより要求され、バックライト装置の光源としては、白色を発光する白色発光素子（以下、白ＬＥＤと省略する）を用いることが提案されている（例えば、特許文献２を参照）。
【特許文献１】特開２００５−１６６５８３号公報
【特許文献２】特開２００６−１７１６９５号公報
【発明の開示】
【発明が解決しようとする課題】
【０００５】
白ＬＥＤを用いるバックライト装置または表示装置では、一般的には白ＬＥＤが複数個用いられるが、白ＬＥＤは、本来的に色度のばらつきが大きく、その結果、バックライト装置から得られる光の色度も大きくばらつき、さらに、このバックライト装置を用いる液晶表示装置では、液晶パネルの画像視認面における色度にもばらつきが生じてしまう。
【０００６】
上述したような、色度のばらつきを抑える方法としては、白ＬＥＤの色度の選別をおこない、所望の色度の白ＬＥＤのみを用いるという方法もあるが、このような方法を採用する場合には、選別され目的の用途に供される白ＬＥＤ以外の白ＬＥＤをどの様に処分するかが大きな問題となり、結果的に、バックライト装置または表示装置の価格が高いものとなってしまった。
【０００７】
本発明は、このような課題を解決し、所望の色度の白ＬＥＤだけではなく、所望の色度とは異なる色度の白ＬＥＤを使用可能とするバックライト装置または表示装置ならびにバックライト装置の色度調整方法を提供することを目的としている。
【課題を解決するための手段】
【０００８】
本発明のバックライト装置は、複数の発光素子と、前記発光素子に電力を供給する駆動回路と、前記発光素子からの光を導き略均一光量の光を面から出射させる導光板とを備えるバックライト装置であって、前記複数の発光素子は、略同一色度の白ＬＥＤを直列接続して形成される第１のＬＥＤ群と、前記第１のＬＥＤ群を形成する白ＬＥＤとは異なる色度を有する略同一色度の白ＬＥＤを直列接続して形成される第２のＬＥＤ群と、が近接して配置されてなり、前記駆動回路は、前記第１のＬＥＤ群に流す電流と前記第２のＬＥＤ群に流す電流との大きさの比率を変化させて、前記導光板を介して出力される白色光の色度座標を変えるものである。
【０００９】
このバックライト装置では、第１のＬＥＤ群は、略同一色度の白ＬＥＤを直列接続して形成されるので、この第１のＬＥＤ群に流す電流の大きさを変化させることによって、略同一色度（第１の色度）の光を発光して、この光量を変えることができる。同様に、第２のＬＥＤ群は、第１の色度とは異なる略同一色度（第２の色度）の白ＬＥＤを直列接続して形成されるので、この第２のＬＥＤ群に流す電流の大きさを変化させることによって、第２の色度の光を発光して、この光量を変えることができる。また、第１のＬＥＤ群と第２のＬＥＤ群とは近接して配置されているので、第１の色度の光と第２の色度の光とが混合される。そして、色度座標上において、第１の色度と第２の色度とを結ぶ線上の色度を有する光を得ることができる。
【００１０】
別の本発明のバックライト装置は、複数の発光素子と、前記発光素子に電力を供給する駆動回路と、前記発光素子からの光を導き略均一光量の光を面から出射させる導光板とを備えるバックライト装置であって、前記複数の発光素子は、略同一色度の白ＬＥＤを直列接続して形成される第１のＬＥＤ群と、前記第１のＬＥＤ群を形成する白ＬＥＤとは異なる色度を有する略同一色度の白ＬＥＤを直列接続して形成される第２のＬＥＤ群と、前記第１のＬＥＤ群を形成する白ＬＥＤおよび前記第２のＬＥＤ群を形成する白ＬＥＤとは相互に異なる色度を有する略同一色度の白ＬＥＤを直列接続して形成される第３のＬＥＤ群と、が近接して配置されてなり、前記駆動回路は、前記第１のＬＥＤ群に流す電流と前記第２のＬＥＤ群に流す電流と前記第３のＬＥＤ群に流す電流との大きさの相互の比率を変化させて、前記導光板を介して出力される白色光の色度座標を変えるものである。
【００１１】
このバックライト装置では、第１のＬＥＤ群は、略同一色度の白ＬＥＤを直列接続して形成されるので、この第１のＬＥＤ群に流す電流の大きさを変化させることによって、略同一色度（第１の色度）の光を発光して、この光量を変えることができる。同様に、第２のＬＥＤ群は、第１の色度とは異なる略同一色度（第２の色度）の白ＬＥＤを直列接続して形成されるので、この第２のＬＥＤ群に流す電流の大きさを変化させることによって、第２の色度の光を発光して、この光量を変えることができる。また、第３のＬＥＤ群は、第１の色度および第２の色度とは異なる略同一色度（第３の色度）の白ＬＥＤを直列接続して形成されるので、この第３のＬＥＤ群に流す電流の大きさを変化させることによって、第３の色度の光を発光して、この光量を変えることができる。また、第１のＬＥＤ群と第２のＬＥＤ群と第３のＬＥＤ群とは相互に近接して配置されているので、第１の色度の光と第２の色度の光と第３の色度の光とが混合される。そして、色度座標上において、第１の色度と第２の色度と第３の色度を結ぶ線で囲まれる範囲の色度を有する光を得ることができる。
【００１２】
本発明のバックライト装置の色度調整方法は、複数の発光素子からの光を導いて、導光板を介して略均一光量の光を出射するバックライト装置の色度調整方法であって、略同一色度の白ＬＥＤを直列接続して形成される複数のＬＥＤ群を相互に近接して配置し、前記複数のＬＥＤ群の各々に属する各々の白ＬＥＤと、他のＬＥＤ群に属する白ＬＥＤとは、相互に異なる色度座標を有するようにされ、前記複数のＬＥＤ群の各々に流す電流の大きさの相互の比率を変化させて、導光板を介して出力される白色光の色座標を変えるものである。
【００１３】
このバックライト装置の色度調整方法では、略同一色度の白ＬＥＤを直列接続して形成される複数のＬＥＤ群を相互に近接して配置することによって各々のＬＥＤ群からの光が混合する。また、複数のＬＥＤ群の各々に属する各々の白ＬＥＤと、他のＬＥＤ群に属する白ＬＥＤとは、相互に異なる色度座標を有するようにされ、複数のＬＥＤ群の各々に流す電流の大きさの相互の比率を変化させ、混合された光の色度座標を変化させることができる。また、白色光は導光板を介して出射されるので略均一光量の光を得ることができる。
【発明の効果】
【００１４】
本発明によれば、所望の色度の白ＬＥＤだけではなく、所望の色度とは異なる色度の白ＬＥＤを使用して、所望の色度の光を得る技術を提供できる。そして、種々の色度の白ＬＥＤを無駄なく使用することを可能として、バックライト装置または表示装置のコストを低価格なものとできる。
【発明を実施するための最良の形態】
【００１５】
発明を実施するための最良の形態の要部について説明をした後、図を参照して、より詳細に説明をする。
【００１６】
実施形態のバックライト装置は、複数の発光素子と、発光素子に電力を供給する駆動回路と、発光素子からの光を導き略均一光量の光を面から出射させる導光板とを備える。複数の発光素子は、複数のＬＥＤ群からなっており、各々のＬＥＤ群は、ＬＥＤ群毎に略同一色度の白ＬＥＤを直列接続して形成されており、複数のＬＥＤ群の各々に属する各々の白ＬＥＤは、他のＬＥＤ群に属する白ＬＥＤとは、相互に異なる色度座標（色度とも称する）を有するようにされている。また、複数のＬＥＤ群の各々は、相互に近接して配置され、各々のＬＥＤ群からの光は十分に混じり合い、一色に見えるようになされている。そして、複数のＬＥＤ群の各々に流す電流の大きさの相互の比率を変化させて、導光板を介して出射される略均一光量の所望の白色光を得ることができる。ここで、ＬＥＤ群を形成する白ＬＥＤは略同一色度を有するようにされているが、この場合の略同一色度の範囲は、適宜に定め得るものである。すなわち、白ＬＥＤの選別の範囲を狭める程、所望の色度に近くなるが、選別のコストおよび選別後の白ＬＥＤの管理費用はより高いものとなる。
【００１７】
ＬＥＤ群の数が、２つである場合には、第１のＬＥＤ群の有する色度座標と第２のＬＥＤ群の有する色度座標と、を結ぶ線上で、混合された光の有する色度座標を調整することができる。また、ＬＥＤ群の数が、３つである場合には、第１のＬＥＤ群の有する色度座標と第２のＬＥＤ群の有する色度座標と第３のＬＥＤ群の有する色度座標とを結ぶ線で取り囲まれた範囲内で、混合された光の有する色度座標を調整することができる。４つ以上のＬＥＤ群を有する場合には、３つの場合と同様に各々のＬＥＤ群の有する色度座標を結ぶ線で取り囲まれた範囲内で所望の白色光を得ることができる。
【００１８】
また、実施形態の表示装置は、液晶パネルとこの液晶パネルの裏面から光を照射するバックライト装置とを備えるものである。そして、バックライト装置は、複数の発光素子と、発光素子に電力を供給する駆動回路と、発光素子からの光を導き略均一光量の光を面から出射させる導光板と、を具備するものである。また、複数の発光素子は、略同一色度の白ＬＥＤを直列接続して形成される複数のＬＥＤ群を有し、複数のＬＥＤ群の各々に属する各々の白ＬＥＤは、他のＬＥＤ群に属する白ＬＥＤとは、相互に異なる色度座標を有するようにされ、ＬＥＤ群は、相互に近接して配置され、駆動回路は、複数のＬＥＤ群の各々に流す電流の大きさの相互の比率を変化させて、液晶パネルの画像視認面における白色光の色度座標を変えるものである。
【００１９】
このような構成によって、液晶パネルの画像視認面における白色光の色度座標を変えることができ、例えば、一般的な画像装置に要求される、黒体曲線の５０００Ｋないし１１０００Ｋの少なくとも一部を含むように容易になすことができる。
【００２０】
また、実施形態のバックライト装置の色度調整方法は、複数の発光素子からの光を導いて、導光板を介して略均一光量の光を出射するバックライト装置の色度調整方法である。そして、以下のようにして、色度調整をおこなう。略同一色度の白ＬＥＤを直列接続して形成される複数のＬＥＤ群を相互に近接して配置する。複数のＬＥＤ群の各々に属する各々の白ＬＥＤと、他のＬＥＤ群に属する白ＬＥＤとは、相互に異なる色度座標を有するようにされる。複数のＬＥＤ群の各々に流す電流の大きさの相互の比率を変化させて、導光板を介して出射される略均一光量の所望の白色光を得る。
【００２１】
以下、本発明の最良の形態である実施形態に関して図を参照して説明をする。
【００２２】
まず、白ＬＥＤについて、図１ないし図５を参照して説明をする。図１は白ＬＥＤ（１０ａ）の概略図を示し、図２は図１に示す白ＬＥＤ（１０ａ）とは異なる外形形状を有する、実施形態に用いる白ＬＥＤの外観形状を示し、図３は白ＬＥＤ（１０ｂ）の部分拡大図を示し、図４は白ＬＥＤのスペクトルの例、図５は白ＬＥＤの別のスペクトルの例を、各々、示すものである。
【００２３】
図１に示す白ＬＥＤ（１０ａ）では、ＬＥＤチップ１１が封止樹脂１４によって封止されている。ＬＥＤチップ１１からは、カソード電極１３とアノード電極１２とが引き出されている。このアノード電極１２からカソード電極１３に向かって電流を流すことによって、白ＬＥＤ（１０ａ）は発光する。封止樹脂１４の表面の一部は光放出面１０ａｓとされており、この光放出面１０ａｓから光は外部に放出される。
【００２４】
図２は実施形態に用いる白ＬＥＤ（１０ｂ）の外観形状を示すものである。白ＬＥＤ（１０ｂ）は、基板への実装をより簡便とするために白ＬＥＤ（１０ａ）とは異なる外形寸法を有するが、発光の原理は白ＬＥＤ（１０ａ）と異なる点はない。図２（Ａ）は正面図、図２（Ｂ）は底面図、図２（Ｃ）は側面図を各々示すものであり、白色光は光放出面１０ｂｓから得られる。外形寸法の一例としては、幅Ｌは２．８ｍｍ程度、深さＷは１．２ｍｍ程度、高さＨは０．８ｍｍ程度のおおきさのものが、市場に提供されている。
【００２５】
図３は白ＬＥＤ（１０ｂ）の略断面図でＬＥＤチップ１１の近傍の部分拡大図を示すものである。リードフレーム１７の上に配されたＬＥＤチップ１１は、青色の光を発光する青ＬＥＤチップとされており、図３には図示しないアノード電極からカソード電極に向かって電流を流すことによって、青色の光（以下、青色光と省略する）を発光する。パッケージ１６の内部には蛍光体１５が封止されており、青色光が蛍光体１５に吸収されると蛍光体１５は波長のより長い黄色の光（以下、黄色光と省略する）を発する。この黄色光と蛍光体１５に吸収されなかった青色光とが混ざって図３に図示するようにして放出され、この黄色光と青色光とで白色光を生じることとなる。
【００２６】
図３における説明では、青ＬＥＤ（近青の紫外線ＬＥＤも含む）と黄色の蛍光体とによって、白色光を得る例について説明をしたが、黄色の蛍光体に替えて、緑と赤の蛍光体を励起させて黄色光を得て、青色光と黄色光から白色光を得る方法、または緑と赤に波長を変換された光を発することで、青色光と緑色光と赤色光とで白色光を得ることもできる。
【００２７】
図４の実線は、青ＬＥＤと黄色の蛍光体とを用いた白ＬＥＤのスペクトルの例を示すものである。図４の破線は、人間の視覚感度曲線を示すものである。また、図５は、青ＬＥＤと緑色の蛍光体と赤色の蛍光体とを用いた白ＬＥＤのスペクトルの例を示すものである。
【００２８】
上述したようにして、白ＬＥＤは形成されるので、青色のＬＥＤチップから出る光の波長のばらつきが小さいとしても、蛍光体の特性のばらつき、蛍光体での吸収のばらつきが、大きく、結果として、同一の製造工程を経て生産されたにも拘わらず、白ＬＥＤからの光の色度は、個体毎に大きなばらつきを有することとなる。
【００２９】
図６は、バックライト装置１００と液晶パネル（ＬＣＤ）１１０とからなる表示装置２０を模式的に示す断面図である。この表示装置２０は、その液晶パネル１１０に入射される光の透過率を画素毎に制御することで画像を表示するものである。図６においては、この液晶パネル１１０の画像視認面は、紙面に向かって左側（偏光板２８ａ側）とされ、この液晶パネル１１０の画像視認面の反対面（偏光板２８ｂ側）に、バックライト装置１００からの光を入射させるように、液晶パネル１１０の裏面側（偏光板２８ｂ側）にバックライト装置１００が組み込まれている。
【００３０】
図６においては、液晶パネル１１０の図面は簡略化され、実施形態の要部に係る部分のみが記載されている。すなわち、偏光板２８ａ、偏光板２８ｂ、偏光板２８ａと偏光板２８ｂとに挟支されたガラス２９ａ、ガラス２９ｂ、ガラス２９ａとガラス２９ｂとに挟支された液晶３９のみが図面に表されている。図示されていない構成部分としては、液晶３９を挟んで対抗して配される一対の透明電極膜、その透明電極膜の各々に形成される、一方がデータ線、他方が走査線として、それぞれ、互いに直交して配される複数本の線が有る。また、このデータ線とこの走査線とを図示しない、液晶パネル駆動回路で駆動することによって、画素毎に表示態様を制御する表示装置駆動回路もまた省略されている。この液晶パネル１１０を構成する、偏光板２８ａ、偏光板２８ｂ、ガラス２９ａ、ガラス２９ｂ、液晶３９等の各々の構成部は図６の紙面の表裏方向に延在しており、表示面の大きさに応じた広さの面を有している。
【００３１】
バックライト装置１００は、バックライト装置１００の外囲部となるフレーム２１に対して、反射シート２３、導光板２４、プリズムシート２５およびＬＥＤ群Ａ（１０ｃ）の各々が相互に所定の間隔を保持するようにして固着されている。ＬＥＤ群Ａ（１０ｃ）は、複数個の白ＬＥＤ（１０ｂ）からなるものである。ＬＥＤ群Ａ（１０ｃ）については後述する。ＬＥＤ群Ａ（１０ｃ）は、フレキ基板２２に同様に装着された図６には図示しないＬＥＤ駆動ユニット（発光素子駆動ユニット）１２２（図１０を参照）によって駆動されるようになされている。反射シート２３、導光板２４、プリズムシート２５の各々は図６の紙面の表裏方向に延在しており、表示面の大きさに応じた広さの面を有している。
【００３２】
ＬＥＤ群Ａ（１０ｃ）がＬＥＤ駆動ユニット１２２によって駆動され、ＬＥＤ群Ａ（１０ｃ）の光放出面１０ｃｓから白色光が発せられる。ここで、光放出面１０ｃｓとは、ＬＥＤ群Ａ（１０ｃ）を構成する各々の白ＬＥＤ（１０ｂ）の光放出面１０ｂｓの総体を称するものである。光放出面１０ｃｓからの白色光は導光板２４の導光板光入射面２４ｓｉから入射して、導光板２４の導光板光放出面２４ｓｏから出射する。そして、導光板光放出面２４ｓｏから出射した白色光は、さらにプリズムシート２５を通過してプリズムシート光放出面２５ｓｏから出射する。
【００３３】
図７は、図６に示すバックライト装置１００と液晶パネル１１０とからなる表示装置２０の図６の上端部を拡大してより詳細に示す拡大図である。図７においては、図６では省略された、粘着テープ３１、反射テープ３２および反射テープ３３の各々が示されている。なお、実際の製造工程においては、バックライト装置１００と液晶パネル１１０との各々が別個に組み立てられ、最終的に両者が合体される場合が多い。
【００３４】
図８は、バックライト装置１００ａの一部を模式的に示す図である。図８では、ＬＥＤ群Ａ（１０ｃ）がどのように形成されるかを説明することを目的とする図であるので、実際の各部の大きさは図８に示すものとは異なるものである。ＬＥＤ群Ａ（１０ｃ）は、電気的には複数の白ＬＥＤ（１０ｂ）を直列に接続して形成されている。また、ＬＥＤ群Ａ（１０ｃ）の物理的な構造としては、フレキ基板２２ａの上に、複数個の白ＬＥＤ（１０ｂ）を並べてマウントされて形成されている。
【００３５】
複数の白ＬＥＤを直列に接続してＬＥＤ群を形成する場合において、白ＬＥＤの数が多い場合には、白ＬＥＤを全て直列に接続すると、駆動電圧が大きくなるので、例えば、ＬＥＤ群として直列接続される白ＬＥＤの数としては、１０個程度として、駆動電圧を略４０Ｖ程度としている。それ以上の白ＬＥＤを使用する場合は直列の組を増やして、それらを並列接続することで電圧を抑えている。このようにして、駆動電圧を略４２Ｖ未満の電圧として、安全規格の適用において、バックライト装置または表示装置が、高圧の分類として、規格の適用を受けることがないようにするのが好ましい。
【００３６】
図８に示すバックライト装置１００ａでは、フレキ基板２２ａの上にＬＥＤ群Ａ（１０ｃ）とＬＥＤ駆動ユニット１１２とが配されている。ここで、ＬＥＤ駆動ユニット１１２は、ＬＥＤ群Ａ（１０ｃ）の順方向電流の大きさを制御することによって、ＬＥＤ群Ａ（１０ｃ）からの光の強度を調整することができる。図８に示すように、プリズムシート２５のプリズムシート光放出面２５ｓｏは図８の紙面と平行する面とされている。
【００３７】
図９は、図８と同様にバックライト装置１００ｂの一部を模式的に示す図である。図９では、フレキ基板２２ｂの上に駆動電圧を４０Ｖ未満とするＬＥＤ群Ａ（１０ｃ）、ＬＥＤ群Ｂ（１０ｄ）とＬＥＤ駆動ユニット１２２とが配され、ＬＥＤ群Ａ（１０ｃ）とＬＥＤ群Ｂ（１０ｄ）との各々をＬＥＤ駆動ユニット１２２が駆動する場合のバックライト装置１００ｂを示す図である。図９に示すＬＥＤ駆動ユニット１２２は直接にＬＥＤ群Ａ（１０ｃ）とＬＥＤ群Ｂ（１０ｄ）とを並列に接続して駆動するようにはされていない。図９に示すように、プリズムシート２５のプリズムシート光放出面２５ｓｏは図９の紙面と平行する面とされている。
【００３８】
図１０は、フレキ基板２２ｂの上に配されたＬＥＤ群Ａ（１０ｃ）およびＬＥＤ群Ｂ（１０ｄ）と、これらを駆動する駆動回路であるＬＥＤ駆動ユニット１２２との相互の接続関係を模式的に示す図である。図１０に示すように、バックライト装置１００ｂでは、ＬＥＤ群Ａ（１０ｃ）は、一のＬＥＤのカソードと他のＬＥＤのアノードとを接続する直列接続の態様で、ＬＥＤ（２１０）およびＬＥＤ（２１１）ないしＬＥＤ（２１７）の各々を接続している。また、ＬＥＤ群Ｂ（１０ｄ）は、一のＬＥＤのカソードと他のＬＥＤのアノードとを接続する直列接続の態様で、ＬＥＤ（２２０）およびＬＥＤ（２２１）ないしＬＥＤ（２２７）の各々を接続している。そして、ＬＥＤ群Ａ（１０ｃ）の最終端に配置されるＬＥＤ２１７のカソードには抵抗ＲＡが接続され、ＬＥＤ群Ｂ（１０ｄ）の最終端に配置されるＬＥＤ２２７のカソードには抵抗ＲＢが接続されている。
【００３９】
また、ＬＥＤ駆動ユニット１２２では、集積回路（ＩＣ）として一体形成された定電流回路１３６を具備している。定電流回路１３６は、入力端子として端子Ｄｉｎ、端子ＦｂＡ、端子ＦｂＢ、端子ＣｓＡおよび端子ＣｓＢを有し、出力端子として端子ＤｏｕｔＡおよび端子ＤｏｕｔＢを有し、さらに、電圧基準となる端子として端子ＧＮＤを有している。
【００４０】
そして、端子Ｄｉｎと端子ＧＮＤとの間には、駆動電源１３７が接続され、駆動電源１３７からの直流電圧である入力電圧Ｖｓ（１３１）が端子Ｄｉｎに入力され、端子ＦｂＡには、ＬＥＤ（２１７）と抵抗ＲＡとの接続点が接続され、電流検出信号Ａ（１４６）が入力され、端子ＦｂＢには、ＬＥＤ（２２７）と抵抗ＲＢとの接続点が接続され、電流検出信号Ｂ（１４７）が入力され、端子ＣｓＡには、輝度制御信号Ａ（１３２）が入力され、端子ＣｓＢには、輝度制御信号Ｂ（１３３）が入力されている。また、端子ＤｏｕｔＡには、ＬＥＤ（２１０）のアノードが接続され、電流ＩｏＡ（１３８）が出力され、端子ＤｏｕｔＢには、ＬＥＤ（２２０）のアノードが接続され、電流ＩｏＢ（１３９）が出力されている。
【００４１】
図１１は、定電流回路１３６の構成を示す図である。定電流回路１３６は、ＬＥＤ群Ａ（１０ｃ）を制御するために、制御回路Ａ（１４０）、駆動部Ａ（１４１）、帰還回路Ａ（１４２）を有している。また、定電流回路１３６は、ＬＥＤ群Ｂ（１０ｄ）を制御するために、制御回路Ｂ（１５０）、駆動部Ｂ（１５１）、帰還回路Ｂ（１５２）を有している。
【００４２】
駆動電源１３７から供給される直流電圧である入力電圧Ｖｓ（１３１）は、制御回路Ａ（１４０）、駆動部Ａ（１４１）、制御回路Ｂ（１５０）および駆動部Ｂ（１５１）の各々に供給されている。また、制御回路Ａ（１４０）には、マイコン６０から出力される輝度制御信号Ａ（１３２）と輝度信号Ａ（１４４）とが入力されている。ここで、輝度信号Ａ（１４４）は、電流検出信号Ａに基づいて帰還回路Ａ（１４２）で生成される、ＬＥＤ群Ａ（１０ｃ）の発光輝度に応じた信号である。また、制御回路Ｂ（１５０）には、マイコン６０から出力される輝度制御信号Ｂ（１３３）と輝度信号Ｂ（１５４）とが入力されている。ここで、輝度信号Ｂ（１５４）は、電流検出信号Ｂに基づいて帰還回路Ｂ（１５２）で生成される、ＬＥＤ群Ｂ（１０ｄ）の発光輝度に応じた信号である。また、駆動部Ａ（１４１）は、制御回路Ａ（１４０）から駆動信号Ａ（１４５）が供給されて、電流ＩｏＡ（１３８）を出力するようになされている。ここで、駆動部Ａ（１４１）は電力増幅器として機能するものである。また、駆動部Ｂ（１５１）は、制御回路Ｂ（１５０）から駆動信号Ｂ（１５５）が供給されて、電流ＩｏＢ（１３９）を出力するようになされている。ここで、駆動部Ｂ（１５１）は電力増幅器として機能するものである。
【００４３】
図１０、図１１を参照して、ＬＥＤ群Ａ（１０ｃ）の輝度調整とＬＥＤ群Ｂ（１０ｄ）の輝度調整との各々の輝度の調整の動作について説明をする。
【００４４】
上述したように、ＬＥＤ群Ａ（１０ｃ）に流れる電流ＩｏＡ（１３８）の大きさを調整することによって、ＬＥＤ群Ａ（１０ｃ）からの光の光量（輝度）を調整することができ、ＬＥＤ群Ｂ（１０ｄ）に流れる電流ＩｏＢ（１３９）の大きさを調整することによって、ＬＥＤ群Ｂ（１０ｄ）からの光の光量（輝度）を調整することができる。そして、ＬＥＤ群Ａ（１０ｃ）の輝度調整およびＬＥＤ群Ｂ（１０ｄ）の輝度調整はいずれも、フィードバックループによって輝度調整がなされる。
【００４５】
ここで、電流ＩｏＡ（１３８）の大きさは、抵抗ＲＡの両端の電圧としての電流検出信号Ａ（１４６）から得ることができ、電流ＩｏＢ（１３９）の大きさは抵抗ＲＢの両端の電圧としての電流検出信号Ｂ（１４７）から得ることができることは、図１０、図１１を参照すれば明らかである。また、帰還回路Ａ（１４２）は、ノイズを濾波するフィルタとして構成しているが、さらに、変換テーブル、例えば、ラム（ＲＡＭ）等、または、電流検出信号Ａ（１４６）を輝度に応じた信号に変換する変換式を実行するシーピーユー（ＣＰＵ）等によって構成するものであっても良い。つまり、帰還回路Ａ（１４２）は、電流検出信号Ａ（１４６）を輝度に応じた信号である輝度信号Ａ（１４４）に変換する機能を有するものである。同様にして、帰還回路Ｂ（１５２）は、電流検出信号Ｂ（１４７）を輝度に応じた信号である輝度信号Ｂ（１５４）に変換する機能を有する。
【００４６】
制御回路Ａ（１４０）では、位相補償、ゲイン補償等をおこない、ＬＥＤ群Ａ（１０ｃ）に係るフィードバック制御系の最適動作を図る。例えば、定常偏差を所定の範囲内のものとし、制御帯域を応答速度に応じた必要な広さのものとして、適宜にフィードバック系を動作させる。制御回路Ｂ（１５０）においても、同様にして、適宜にフィードバック系を動作させるための、上述の処理を行う。
【００４７】
駆動部Ａ（１４１）、駆動部Ｂ（１５１）は、バイポーラトランジスタ、ＭＯＳ―ＦＥＴ等で形成される電力増幅器として機能して、フィードバックループの作用によって、電流ＩｏＡ（１３８）および電流ＩｏＢ（１３９）として所定電流を流すように作用する。このようにして、マイコン６０からの輝度制御信号Ａ（１３２）によって電流ＩｏＡ（１３８）を制御し、マイコン６０からの輝度制御信号Ｂ（１３３）によって電流ＩｏＢ（１３９）を制御する。
【００４８】
上述したようにして、ＬＥＤ群Ａ（１０ｃ）とＬＥＤ群Ｂ（１０ｄ）との二つのＬＥＤ群の各々の輝度を調整することができるが、ＬＥＤ群の数をさらに増加させ、マイコン６０からの輝度制御信号の個数をさらに増加させ、定電流回路に形成される、制御回路、駆動部および帰還回路から構成されるフィードバック回路の個数をさらに増加させることによって、より、多くのＬＥＤ群の輝度調整を独立におこなうことができる。
【００４９】
以上、各々のＬＥＤ群の輝度調整について説明をしたが、続いて、図１２を参照して色度座標および色温度の調整の原理について説明をする。
【００５０】
図１２は、一般的に広く利用されている色度図である。図１２の色度図について説明をする。図１２に示す閉曲線１６０は、スペクトル色軌跡を示している。この閉曲線１６０の上に、単一のスペクトルを有する単色光が配置される。閉曲線１６０の上に示される各々の数値は、単色光の波長をｎｍ（ナノ・メータ）単位で示すものである。また、この閉曲線１６０の底辺（図１２では、波長４２０ｎｍの点と波長６８０ｎｍとを結ぶ線）は純紫軌跡を示している。この純紫軌跡は、光スペクトルにはない赤紫色の純な光が配置される。そして、人間の目に見える全ての色は、この閉曲線１６０で囲まれる範囲内の点、すなわち、色度図における座標(ｘ、ｙ)で特定される点として表現することができる。この点が色度と称されており、色度の位置を特定する座標(ｘ、ｙ)が色度座標と称されている。
【００５１】
また、符号１６１が付された曲線は、黒体曲線と称される。黒体曲線とは、黒体（全ての波長の光を完全に吸収する理想物体）を燃焼させた場合にその黒体から発する光の色度の軌跡を指す。なお、黒体曲線１６１の上に示される各々の数値は、その座標(ｘ、ｙ)が示す色度の光を発している黒体の温度を指している。この温度は色温度（単位はケルビン）と称されており、色温度により黒体曲線１６１上の色度が示される。すなわち、黒体曲線１６１上の色度は、座標(ｘ、ｙ)を有する色度座標で示すこともできるし、色温度で示すこともできる。
【００５２】
ここで、この色度図において、座標(ｘ１、ｙ１)を有する光と、座標(ｘ２、ｙ２)を有する光とが混合された場合、その混合された光が有する座標(ｘ３、ｙ３)は、座標(ｘ１、ｙ１)と座標(ｘ２、ｙ２)を結ぶ直線上に位置することになる。ただし、座標(ｘ３、ｙ３)が、その直線上の何れの場所に位置するかについては、座標(ｘ１、ｙ１)を有する光の大きさと、座標(ｘ２、ｙ２)を有する光の大きさとの割合に依存する。よって、座標(ｘ１、ｙ１)を有する光の大きさと、座標(ｘ２、ｙ２)を有する光の大きさとの比を変えることで、混合された光の色度を調整することができる。また、座標(ｘ４、ｙ４)を有する光の大きさと、座標(ｘ５、ｙ５)を有する光の大きさと座標(ｘ６、ｙ６)を有する光の大きさとの比を変えることで、混合された光の色度を調整することができる。この場合に取り得る色度は、座標(ｘ４、ｙ４)と座標(ｘ５、ｙ５)と座標(ｘ６、ｙ６)とで囲まれる三角形の範囲内である。なお、４つの光を混合する場合には、取り得る色度の範囲は、各々の座標を連結して形成される四角形の範囲内とすることができる。
【００５３】
図１０、図１１に示す図において、ＬＥＤ群Ａ（１０ｃ）に属するＬＥＤであるＬＥＤ（２１０）ないしＬＥＤ（２１７）の各々を一の略同一色度を有するものとし、ＬＥＤ群Ｂ（１０ｄ）に属するＬＥＤであるＬＥＤ（２２０）ないしＬＥＤ（２２７）の各々を他の略同一色度を有するものとする。このようにして、構成されたＬＥＤ群Ａ（１０ｃ）からの光の輝度とＬＥＤ群Ｂ（１０ｄ）からの光の輝度との比、すなわち、電流ＩｏＡ（１３８）と電流ＩｏＢ（１３９）との電流比を変化させることによって、ＬＥＤ群Ａ（１０ｃ）からの光の色度座標を表す点とＬＥＤ群Ｂ（１０ｄ）から光の色度座標を表す点とを結ぶ直線の上で、混合された光の色度座標を調整できるものとすることができる。
【００５４】
図１３は、上で用いた用語である、「略同一色度」の意味内容について説明をする図であり、より具体的には、白ＬＥＤの選別範囲の分類を示す図である。図１３に示す外形線１７０は、一例としての、ある型番の白ＬＥＤからの光の色度座標の範囲を示すものであり、図１２に示す丸線で囲んだ部分の付近の色度座標の範囲を拡大するものである。図１３に示す、範囲ａ１１、範囲ａ１２、範囲ａ１３、範囲ｂ１１、範囲ｂ１２、範囲ｂ１３、範囲ｃ１１、範囲ｃ１２、範囲ｃ１３、範囲ｄ１１、範囲ｄ１２、範囲ｄ１３、範囲ｅ１１、範囲ｅ１２および範囲ｅ１３の各々は、この白ＬＥＤを選別した場合の同一分類の範囲を示すものである。すなわち、白ＬＥＤが生産工程で生産された後、選別工程において、個々の白ＬＥＤを発光させ、個々の白ＬＥＤの色度座標を検査して、図１３の小さな略方形の升目の範囲ごとに分類して選別するものである。この各々の升目内の色度座標の範囲が、白ＬＥＤが相互に「略同一色度」を有するとされる範囲である。
【００５５】
このようにして、生産工程で生産され、良品とされた白ＬＥＤのすべてを、図１３に示すようにして、升目に従い、同一の升目の範囲内の色度座標を有する白ＬＥＤを略同一色度座標を有する白ＬＥＤとして、すべての白ＬＥＤの分類をして、分類毎に識別符号、例えば、従来の型番○○の後ろに識別符号をさらに付し、型番○○―ａ１１、型番○○―ａ１２、・・・型番○○―ｅ１２、型番○○―ｅ１３等の新たな型番を付して需用者に供給される。なお、図１３に示す外形線１７０の範囲が、黒体曲線の近傍である場合には、略同一色度座標の範囲の用語に替えて略同一色温度の用語を用いて、同一の意味内容を表すことができる。
【００５６】
図６に示すバックライト装置１００のプリズムシート光放出面２５ｓｏにおいて、得られる光が所望の色度座標を有するようにする場合には、バックライト装置１００の各部において生じる色度座標の変化を考慮に入れて、ＬＥＤ群Ａ（１０ｃ）の光放出面１０ｃｓからの白色光の色度座標を決定する。光放出面１０ｃｓからの白色光の色度座標は、このようにして、例えば、図１３に示す色度座標Ｐと決定される。よって、選別分類された、型番○○―ｃ１２の白ＬＥＤをＬＥＤ群Ａ（１０ｃ）の要素として用いる。
【００５７】
また、図６に示す表示装置２０の画像視認面において、得られる光が所望の色度座標を有するようにする場合には、バックライト装置１００の各部において生じる色度座標の変化および液晶パネル１１０の各部において生じる色度座標の変化を考慮に入れて、ＬＥＤ群Ａ（１０ｃ）の光放出面１０ｃｓからの白色光の色度座標を決定する。光放出面１０ｃｓからの白色光の色度座標は、このようにして、例えば、図１３に示す色度座標Ｑと決定される。よって、選別分類された、型番○○―ｄ１２の白ＬＥＤをＬＥＤ群Ａ（１０ｃ）の要素として用いる。
【００５８】
上述したようにして、所望の色度座標を有する光をバックライト装置１００のプリズムシート光放出面２５ｓｏ、または、表示装置２０の画像視認面において得ることができるが、このように、ＬＥＤ群Ａ（１０ｃ）のみを有する場合には、型番○○―ｃ１２の白ＬＥＤまたは型番○○―ｄ１２の白ＬＥＤのみしか利用することができない。そして、その他の範囲である、範囲ａ１１、範囲ａ１２、範囲ａ１３、範囲ｂ１１、範囲ｂ１２、範囲ｂ１３、範囲ｃ１１、範囲ｃ１３、範囲ｄ１１、範囲ｄ１３、範囲ｅ１１、範囲ｅ１２および範囲ｅ１３の範囲に属する白ＬＥＤは使用されることはない。
【００５９】
しかしながら、図９に示すように、ＬＥＤ群Ａ（１０ｃ）とＬＥＤ群Ｂ（１０ｄ）とを有する場合には、種々の組み合わせによって、範囲ａ１１、範囲ａ１２、範囲ａ１３、範囲ｂ１１、範囲ｂ１２、範囲ｂ１３、範囲ｃ１１、範囲ｃ１２、範囲ｃ１３、範囲ｄ１１、範囲ｄ１２、範囲ｄ１３、範囲ｅ１１、範囲ｅ１２および範囲ｅ１３に属するすべての白ＬＥＤを、バックライト装置１００、または、表示装置２０に使用することができる。
【００６０】
ＬＥＤ群Ａ（１０ｃ）およびＬＥＤ群Ｂ（１０ｄ）の光放出面（図６に示す光放出面１０ｃｓと同様な面であり、ＬＥＤ群Ａ（１０ｃ）からの光とＬＥＤ群Ｂ（１０ｄ）からの光が混合された光の放出面）において要求される色度座標が、例えば、色度座標Ｐ点である場合の種々の組み合わせについて、具体的な例を示しながら以下に説明をする。ＬＥＤ群Ａ（１０ｃ）とＬＥＤ群Ｂ（１０ｄ）と導光板２４との相互の位置関係については、図１４に示されている。
【００６１】
色度座標Ｐ点を有する光、さらに、広くは、色度座標Ｐ点の近傍の色度座標を有する光として、範囲ｃ１２と示す範囲内の色度座標を有する光を得る場合において、例えば、ＬＥＤ群Ａ（１０ｃ）を構成する白ＬＥＤの各々を範囲ｃ１１に属するものとし、ＬＥＤ群Ｂ（１０ｄ）を構成する白ＬＥＤの各々を範囲ｃ１３に属するものとすることができる。ここで、色度座標Ｐ点を横切る直線ａを含む範囲であって、色度座標Ｐ点に対して、相互に反対側に存在する範囲が範囲ｃ１１とｃ１３である。また、例えば、ＬＥＤ群Ａ（１０ｃ）を構成する白ＬＥＤの各々を範囲ｂ１１に属するものとし、ＬＥＤ群Ｂ（１０ｄ）を構成する白ＬＥＤの各々を範囲ｄ１３に属するものとすることができる。ここで、色度座標Ｐ点を横切る直線ｂを含む範囲であって、色度座標Ｐ点に対して、相互に反対側に存在する範囲が範囲ｂ１１とｄ１３である。また、例えば、ＬＥＤ群Ａ（１０ｃ）を構成する白ＬＥＤの各々を範囲ａ１１に属するものとし、ＬＥＤ群Ｂ（１０ｄ）を構成する白ＬＥＤの各々を範囲ｅ１３に属するものとすることができる。ここで、色度座標Ｐ点を横切る直線ｃを含む範囲であって、色度座標Ｐ点、または、色度座標Ｐ点を含む範囲（以下、色度座標Ｐ点等と省略して用いる）に対して、相互に反対側に存在する範囲が範囲ａ１１とｅ１３である。
【００６２】
このようにして、ＬＥＤ群Ａ（１０ｃ）とＬＥＤ群Ｂ（１０ｄ）とを構成し、ＬＥＤ群Ａ（１０ｃ）とＬＥＤ群Ｂ（１０ｄ）とに流れる電流の比を図１０に示す駆動回路によって制御して所望の色度座標Ｐ点、または、色度座標Ｐ点を含む範囲である範囲ｃ１２の範囲の色度座標の光を得ることができる。なお、光量（輝度）に関しては、上述した電流の比を一定に保ちながら、総電流の和によって定めることができる。総電流の和が大きくすれば光量は増加し、総電流の和を小さくすれば光量は減少する。後述するＬＥＤ群を３個用いる場合においても、ＬＥＤ群の相互電流の比を制御して所望の色度座標を得て、総電流の和を調整して、所望の光量を得る点については同様である。
【００６３】
また、例えば、ＬＥＤ群Ａ（１０ｃ）を構成する白ＬＥＤの各々を範囲ｂ１１に属するものとし、ＬＥＤ群Ｂ（１０ｄ）を構成する白ＬＥＤの各々を範囲ｄ１３に属するものとすることができる。また、例えば、ＬＥＤ群Ａ（１０ｃ）を構成する白ＬＥＤの各々を範囲ａ１２に属するものとし、ＬＥＤ群Ｂ（１０ｄ）を構成する白ＬＥＤの各々を範囲ｅ１２に属するものとすることができ、また、例えば、ＬＥＤ群Ａ（１０ｃ）を構成する白ＬＥＤの各々を範囲ａ１２に属するものとし、ＬＥＤ群Ｂ（１０ｄ）を構成する白ＬＥＤの各々を範囲ｄ１２に属するものとすることができ、さらに、ＬＥＤ群Ａ（１０ｃ）を構成する白ＬＥＤの各々を範囲ｂ１２に属するものとし、ＬＥＤ群Ｂ（１０ｄ）を構成する白ＬＥＤの各々を範囲ｅ１２に属するものとすることができる。ここで、上述した一対の範囲の各々は、色度座標Ｐ点等を横切る直線ｄを含む範囲であって、色度座標Ｐ点等に対して、相互に反対側に存在する範囲である。
【００６４】
また、例えば、ＬＥＤ群Ａ（１０ｃ）を構成する白ＬＥＤの各々を範囲ｄ１１または範囲ｅ１１に属するものとし、ＬＥＤ群Ｂ（１０ｄ）を構成する白ＬＥＤの各々を範囲ａ１３または範囲ｂ１２に属するものとすることができる。ここで、上述した一対の範囲の各々は、色度座標Ｐ点等を横切る直線ｅを含む範囲であって、色度座標Ｐ点等に対して、相互に反対側に存在する範囲である。また、例えば、ＬＥＤ群Ａ（１０ｃ）を構成する白ＬＥＤの各々を範囲ｄ１１に属するものとし、ＬＥＤ群Ｂ（１０ｄ）を構成する白ＬＥＤの各々を範囲ｂ１３に属するものとすることができる。ここで、上述した一対の範囲の各々は、色度座標Ｐ点等を横切る直線ｆを含む範囲であって、色度座標Ｐ点等に対して、相互に反対側に存在する範囲である。
【００６５】
図１４は、図９に示したＬＥＤ群Ａ（１０ｃ）とＬＥＤ群Ｂ（１０ｄ）との配置を異なる方向から見る場合の各々の白ＬＥＤの物理的な配置を示す図である。破線は導光板２４を示すものであり、導光板２４は図１４の紙面の表裏方向に延在するものである。すなわち、図１４は、図９が記載される紙面と垂直となる面における図である。ＬＥＤ群Ａ（１０ｃ）（第１のＬＥＤ群）に属する白ＬＥＤと、ＬＥＤ群Ｂ（１０ｄ）（第２のＬＥＤ群）に属する白ＬＥＤとは、導光板２４の導光板光入射面２４ｓｉに対して略平行する同一面上に配置されている。また、ＬＥＤ群Ａ（１０ｃ）に属する白ＬＥＤと、ＬＥＤ群Ｂ（１０ｄ）に属する白ＬＥＤとが、導光板光入射面２４ｓｉの幅Ｗ２４の方向（以下幅方向と省略する）に、ＬＥＤ群Ａ（１０ｃ）およびＬＥＤ群Ｂ（１０ｄ）の各々の群毎に１列に配置されている。このような配置を採用することによって、ＬＥＤ群Ａ（１０ｃ）に属するＬＥＤからの光とＬＥＤ群Ｂ（１０ｄ）に属するＬＥＤからの光との混合の度合いを良好なものとできるとともに、導光板光入射面２４ｓｉの幅Ｗ２４の長さを短くすることができる。
【００６６】
図１５ないし図１７に示す図は、導光板２４とＬＥＤ群との配置関係について、他の種々の変形例を示すものである。
【００６７】
図１５は、同一の面にＬＥＤ群Ａ（１０ｃ）とＬＥＤ群Ｂ（１０ｄ）とを配置する他の例を示すものである。すなわち、ＬＥＤ群Ａ（１０ｃ）とＬＥＤ群Ｂ（１０ｄ）との配置面は、図１４に示すと同様に同一の面内とされているが、ＬＥＤ群Ａ（１０ｃ）に属するＬＥＤとＬＥＤ群Ｂ（１０ｄ）に属するＬＥＤとが、導光板光入射面２４ｓｉの幅方向に、交互に、１列に配置（千鳥模様の配置）とされている。このような配置を採用することによって、ＬＥＤ群Ａ（１０ｃ）に属するＬＥＤからの光とＬＥＤ群Ｂ（１０ｄ）に属するＬＥＤからの光との混合の度合いを良好なものとできるとともに、導光板光入射面２４ｓｉの高さＨ２４を低くものとすることができる。
【００６８】
図１６は、同一の面に、インラインにＬＥＤ群Ａ（１０ｃ）とＬＥＤ群Ｂ（１０ｄ）とＬＥＤ群Ｃ（１０ｅ）とを配置する図を示すものである。ＬＥＤ群Ａ（１０ｃ）とＬＥＤ群Ｂ（１０ｄ）とＬＥＤ群Ｃ（１０ｅ）とは、導光板光入射面２４ｓｉの幅方向に、交互に、１列に配置される。
【００６９】
このように、３つのＬＥＤ群を用いることによって、２つのＬＥＤ群を用いる場合に較べて、色度座標の変化する範囲をより広いものとできる。図１２を参照して上述したように、３つの色度が異なる光を合成して得られる色度は、ＬＥＤ群Ａ（１０ｃ）によって特定される色度座標と、ＬＥＤ群Ｂ（１０ｄ）によって特定される色度座標と、ＬＥＤ群Ｃ（１０ｅ）によって特定される色度座標とで囲まれた範囲内の色度とすることができる。例えば、色度座標Ｐ点等に対応する色度を得るためには、ＬＥＤ群Ａ（１０ｃ）を構成する白ＬＥＤの各々を範囲ｄ１１に属するものとし、ＬＥＤ群Ｂ（１０ｄ）を構成する白ＬＥＤの各々を範囲ｂ１１に属するものとし、ＬＥＤ群Ｃ（１０ｅ）を構成する白ＬＥＤの各々を範囲ｃ１３に属するものとすることができる。また、別の例としては、ＬＥＤ群Ａ（１０ｃ）を構成する白ＬＥＤの各々を範囲ｅ１１に属するものとし、ＬＥＤ群Ｂ（１０ｄ）を構成する白ＬＥＤの各々を範囲ａ１１に属するものとし、ＬＥＤ群Ｃ（１０ｅ）を構成する白ＬＥＤの各々を範囲ｃ１３に属するものとすることができる。そして、各々のＬＥＤ群に流れる電流の相互の比を調整して、ＬＥＤ群Ａ（１０ｃ）からの光量、ＬＥＤ群Ｂ（１０ｄ）からの光量、ＬＥＤ群Ｃ（１０ｅ）からの光量の各々を変化させることによって、所望の色度を得ることができる。
【００７０】
図１７は、導光板光入射面２４ｓｉに対抗する２つの面にＬＥＤ群Ａ（１０ｃ）とＬＥＤ群Ｂ（１０ｄ）とを配置する図を示すものである。各々のＬＥＤ群は、導光板光入射面２４ｓｉに対して異なる距離を有する平面に配置されている。そして、ＬＥＤ群Ａ（１０ｃ）に属する白ＬＥＤは１列に配置され、ＬＥＤ群Ｂ（１０ｄ）に属する白ＬＥＤも同様に１列に配置されている。このように、導光板光入射面２４ｓｉに対して２段重ねとすることによって、導光板光入射面２４ｓｉの面積当たりのＬＥＤの個数をより多くすることができ、この結果、図１４〜図１６に示すような、１段の配列に較べて、より、大きな輝度を得ることができる。矢印は、図９に示す図面の紙面と同一面内方向を示すものである。
【００７１】
図１８は、図１７と同様に、導光板光入射面２４ｓｉに対抗する２つの面にＬＥＤ群Ａ（１０ｃ）とＬＥＤ群Ｂ（１０ｄ）とを配置する図を示すものであるが、ＬＥＤ群Ａ（１０ｃ）に属する白ＬＥＤとＬＥＤ群Ｂ（１０ｄ）に属する白ＬＥＤとは、図１８に示す紙面内において、互い違いに配置（千鳥模様の配置）とされている。このように、導光板光入射面２４ｓｉに対して２段重ねとすることによって、導光板光入射面２４ｓｉの面積当たりの白ＬＥＤの個数をより多くすることができ、さらに、図１７に示す配置と較べて厚み方向（矢印方向）の寸法を低減でき、装置の厚みを薄くすることができる。また、図１７に示す配置では、導光板光入射面２４ｓｉに対してより近くに配置されたＬＥＤ群Ｂ（１０ｄ）によって、ＬＥＤＡ群（１０ｃ）からの光が一部妨げられ導光板光入射面２４ｓｉに入射したが、図１８に示す配置ではこのようなことはない。
【００７２】
従来のバックライト装置では、白ＬＥＤを用いる場合においては、白ＬＥＤの色度のばらつきが大きく、その結果、バックライト装置からの光の色度のばらつきも大きなものであった。また、このような色度のばらつきを有するバックライト装置を用いる表示装置においては、表示視認面における発光の色あいが変わってしまうという問題があった。そのために、白ＬＥＤの色度のばらつきを選別によって抑えることがおこなわれ、結果として、バックライト装置または表示装置の価格が高くなった。加えて、生産された白ＬＥＤの中で使用できる白ＬＥＤの割合も少なく、この結果、装置の大量生産が困難であった。しかしながら、上述した実施形態のバックライト装置では、各々のＬＥＤ群に流れる電流の相互の割合（電流比）を変えることで、バックライト装置または表示装置から発する白色光の色度（色あい）を所望のものとする調整ができる。この結果、白ＬＥＤを漏れなく使用することができ、バックライト装置または表示装置の価格を低減し、装置の大量生産が可能となる。
【００７３】
また、このような、色度調整をする機能を有さない従来のバックライト装置または表示装置では、色度は、装置で使われる白ＬＥＤおよび種々の光学部品で決まってしまい、表示装置の組み立て工程後において、色度を調整することができなかった。したがって、組み立て工程後の検査工程で、色度が所定の範囲内ではないと判断される場合には、装置は不良品とされ、完成品の歩留まりも低下した。しかしながら、上述した実施形態のバックライト装置または表示装置では、組み立て工程後の最終調整工程において上述したようにして、色度が所定範囲となるように容易に調整することができるので、装置の特性の均一性を容易に図ることができ、装置の歩留まりが向上し、装置の低価格化、量産性の改善を図ることができる。
【００７４】
また、従来は、バックライト装置または表示装置を使用する装置使用者は、バックライト装置または表示装置の色度を調整することができなかった。しかしながら、本実施形態のバックライト装置または表示装置においては、装置使用者の好みに合わせて色度を装置使用者が自由に設定できる。例えば、表示装置をパソコンの端末としての用途と、テレビ画面の表示機としての両方の用途に切り替えて用いる場合において、パソコンの端末の場合には色度（色温度）を６５００度に合わせ、テレビなどでは９３００度に合わせることもできる。
【００７５】
さらに、バックライト装置または表示装置に用いられるＬＥＤの色度は経時変化（劣化特性）を有している。すなはち、ＬＥＤを用いたバックライト装置または表示装置においては、使用時間の経過に伴い、当初設定してあった色度からずれていってしまうこともあった。一般的に 経時変化の影響としては、色は黄色方向にずれていく傾向を有する。上述した実施形態では、色度を調整できるので、経時変化で色度が変化した場合は、色度を再調整することで、目的の色度に戻すことができる。
【００７６】
さらに、従来の複数の冷陰極管を用いて色度調整をおこなう場合との比較では、冷陰極管が少なくとも２本必要であり、冷陰極管を１本だけ用いる場合には色度調整を実現できなかった。しかしながら、複数の冷陰極管を用いる場合には、冷陰極管の白ＬＥＤとは異なる特有の特性によって、以下に述べるような種々の問題が生じるが、白ＬＥＤを用いる場合にはこのような問題は生じることがない。
【００７７】
図１９は冷陰極管の管電流に対する光の相対強度を示すものである。図１９において符号Ａは外形直径が１．８ｃｍ（センチ・メータ）の冷陰極管の特性の一例、符号Ｂは外形直径が２．０ｃｍの冷陰極管の特性の一例、符号Ｃは外形直径が２．６ｃｍの冷陰極管の特性の一例、符号Ｄは外形直径が３．０ｃｍの冷陰極管の特性の一例を各々示すものである。
【００７８】
図１９に示すように、冷陰極管は、管電流を大きくすると容易に輝度が飽和する。すなわち、輝度変化のダイナミックレンジが小さい。一方、図示はしないが、白ＬＥＤでは殆ど輝度飽和はせず、ＬＥＤの温度が一定である限り、ほぼ輝度は白ＬＥＤ電流に比例し、発光を開始する閾値電流から最大許容電力に対応する電流までの範囲で広範な輝度調整が可能である。したがって、白ＬＥＤを用いる場合には、相互に異なる色度を有する白ＬＥＤの輝度の比率を広範囲に調整することができ、よって、ＬＥＤを用いる場合の方が色度の調整範囲をより広いものとできる。また、ＬＥＤの温度は、上述したフィードバックループの作用によって、ＬＥＤ群に所定電流を流すことによって、各々のＬＥＤの温度を略一定に保つことができる。
【００７９】
また、白ＬＥＤの輝度変化のダイナミックレンジは、輝度ゼロから最大輝度（最大許容電力における輝度）の範囲であるのに対して、図１９に示すように、冷陰極管のダイナミックレンジは、最大輝度の４０％〜６０％程度から最大輝度までの範囲であるので、所望の色度を複数の冷陰極管からの光量の割合によって調整する場合において、輝度が高くなり過ぎて、所望の輝度を得ることができない事態、すなわち、発光輝度が過度に上がってしまうという問題が発生する場合がある。一方、実施形態に示した白ＬＥＤを用いる場合にはこのような問題は生じない。
【００８０】
また、複数本の冷陰極管を用いる場合には、装置の、小型・軽量・省電力を達成することが困難である。しかしながら、バックライト装置に白ＬＥＤを用いる場合には、一般的に複数の白ＬＥＤを用いることが前提となっており、色度調整をするからといって、殊更に、この目的のために白ＬＥＤの数を増す必要がない。すなわち、上述した実施形態に示すような構成を採用することによって、従来と同一の個数の白ＬＥＤを用いる場合においても、良好なる色度の調整を可能することができる。そして、複数本の冷陰極管を用いる場合に較べて、容易に装置の、小型・軽量・省電力を達成することができる。
【図面の簡単な説明】
【００８１】
【図１】白ＬＥＤの概略図を示す図である。
【図２】図１に示す白ＬＥＤとは異なる外形形状を有する、実施形態に用いる白ＬＥＤの外観形状を示す図である。
【図３】白ＬＥＤの部分拡大図を示して、発光の原理を説明する図である。
【図４】白ＬＥＤのスペクトルの例を示す図である。
【図５】白ＬＥＤの別のスペクトルの例を示す図である。
【図６】バックライト装置と液晶パネルとからなる表示装置を模式的に示す断面図である。
【図７】図６に示す表示装置の一部を拡大してより詳細に示す拡大図である。
【図８】バックライト装置の一部を模式的に示す図である。
【図９】別のバックライト装置の一部を模式的に示す図である。
【図１０】ＬＥＤ群とＬＥＤ駆動ユニットとの相互の接続関係を模式的に示す図である。
【図１１】ＬＥＤ駆動ユニットの定電流回路の構成を示す図である。
【図１２】一般的な色度図である。
【図１３】白ＬＥＤの選別範囲の分類を示す図である。
【図１４】導光板とＬＥＤ群との配置関係について示す図である。
【図１５】導光板とＬＥＤ群との配置関係について示す図である。
【図１６】導光板とＬＥＤ群との配置関係について示す図である。
【図１７】導光板とＬＥＤ群との配置関係について示す図である。
【図１８】導光板とＬＥＤ群との配置関係について示す図である。
【図１９】冷陰極管の管電流に対する光の相対強度を示す図である。
【符号の説明】
【００８２】
１０ｃ  ＬＥＤ群Ａ、１０ｄ  ＬＥＤ群Ｂ、１０ｅ  ＬＥＤ群Ｃ、１０ａｓ、１０ｂｓ、１０ｃｓ  （白ＬＥＤの）光放出面、１１  ＬＥＤチップ、１２  アノード電極、１３  カソード電極、１４  封止樹脂、１５  蛍光体、１６  パッケージ、１７  リードフレーム、２０  表示装置、２１  フレーム、２２、２２ａ、２２ｂ  フレキ基板、２３  反射シート、２４  導光板、２４ｓｉ  導光板光入射面、２４ｓｏ  導光板光放出面、２５  プリズムシート、２５ｓｏ  プリズムシート光放出面、２８ａ、２８ｂ  偏光板、２９ａ、２９ｂ  ガラス、３１  粘着テープ、３２、３３  反射テープ、３９  液晶、６０  マイコン、１００、１００ａ、１００ｂ  バックライト装置、１１０  液晶パネル、１１２、１２２  駆動ユニット、１３６  定電流回路、１３７  駆動電源、１４１  駆動部Ａ、１４２  帰還回路Ａ、１４４  輝度信号Ａ、１４５  駆動信号Ａ、１４６  電流検出信号Ａ、１４７  電流検出信号Ｂ、１５１  駆動部Ｂ、１５２  帰還回路Ｂ、１５４  輝度信号Ｂ、１５５  駆動信号Ｂ、１６０  閉曲線、１６１  黒体曲線、１７０  外形線、ａ、ｂ、ｃ、ｄ、ｅ、ｆ  直線、ａ１１、ａ１２、ａ１３、ｂ１１、ｂ１２、ｂ１３、ｃ１１、ｃ１２、ｃ１３、ｄ１１、ｄ１２、ｄ１３、ｅ１１、ｅ１２、ｅ１３  （選別の）範囲、ＣｓＡ、ＣｓＢ、Ｄｉｎ、ＤｏｕｔＡ、ＤｏｕｔＢ、ＦｂＡ、ＦｂＢ、ＧＮＤ  端子、ＩｏＡ、ＩｏＢ  電流、ＲＡ、ＲＢ  抵抗、Ｖｓ  入力電圧
【図１】
2008262823.tif 000003
【図２】
2008262823.tif 000004
【図３】
2008262823.tif 000005
【図４】
2008262823.tif 000006
【図５】
2008262823.tif 000007
【図６】
2008262823.tif 000008
【図７】
2008262823.tif 000009
【図８】
2008262823.tif 000010
【図９】
2008262823.tif 000011
【図１０】
2008262823.tif 000012
【図１１】
2008262823.tif 000013
【図１２】
2008262823.tif 000014
【図１３】
2008262823.tif 000015
【図１４】
2008262823.tif 000016
【図１５】
2008262823.tif 000017
【図１６】
2008262823.tif 000018
【図１７】
2008262823.tif 000019
【図１８】
2008262823.tif 000020
【図１９】
2008262823.tif 000021